(57)【要約】板（１）がほぼ同一平面内にある第１の「平らな」形状と、および中空容積体を形成するために、板の部分（２、３、４）の一方を他方に対してヒンジ手段（３０）の周りで折り曲げることにより形成される第２の「折り曲げられた」形状とをとることが可能な、１セットの板の部分を形成するために予め裁断された板において、前記板（１）が第１、第２および第３の少なくとも３つの層（２１、２２、２３）を相互に積層することにより形成され、第１の層（２１）と第３の層（２３）との間に挟まれた第２の層（２２）が柔軟な材料の層であり、第１および第３の２つの層のうちの少なくとも第１の層が比較的固い層であることを特徴とする前記予め裁断された板を提供する。ヒンジ手段（３０）が、第１および第３の２つの層のうち、少なくとも第１の層（２１）に、折り曲げ線（３４）に沿って形成される少なくとも第１の溝（３３）を備えることが好ましい。【選択図】図５
2004501798.tif 000002
【特許請求の範囲】
【請求項１】
板（１）がほぼ同一平面にある第１の「平らな」形状と、たとえば製品の包装箱の全部または一部のような中空容積体を形成するために、板の部分（２、３、４）の一方を他方に対してヒンジ手段（３０）の周りで折り曲げることにより形成される第２の「折り曲げた」形状の、少なくとも２つの形状をとることが可能な、１セットの板の部分を形成するために予め裁断された板（１）において、
当該板（１）が第１、第２および第３の少なくとも３つの層（２１、２２、２３）を相互に積層することにより形成され、第１の層（２１）と第３の層（２３）との間に挟まれた第２の層（２２）が柔軟な材料の層であり、第１および第３の２つの層のうち、少なくとも第１の層が比較的固い層であることを特徴とする、予め裁断された板。
【請求項２】
前記第２の層（２２）が、組みひも、糸、格子、繊維のうち１つ以上の構造により形成されることを特徴とする請求項１に記載の板。
【請求項３】
比較的固い第１の層（２１）が、木材合板パネル、木材繊維パネル、木材シート、再生木材パネル、弾力性の有無を問わない凝集木材粒子の圧延パネルのいずれかで形成されることを特徴とする請求項１および２のいずれかに記載の板。
【請求項４】
第３の層（２３）が、木材合板パネル、木材繊維パネル、木材シート、再生木材パネル、弾力性の有無を問わない凝集木材粒子の圧延パネル、紙、カートンのいずれかで形成されることを特徴とする請求項３に記載の板。
【請求項５】
ヒンジ手段（３０）が、第１および第３の２つの層のうち、少なくとも第１の層（２１）に、折曲げ線（３４）に沿って形成される少なくとも第１の溝（３３）を備えることを特徴とする請求項１〜４のいずれかに記載の板。
【請求項６】
第１の溝（３３）がほぼ「Ｖ」形の横断面を有することを特徴とする請求項５に記載の板。
【請求項７】
第１の溝（３３）の深さが最大でも第１の層（２１）の厚さに等しいことを特徴とする請求項５および６のいずれかに記載の板。
【請求項８】
「Ｖ」形の角度が、板が折り曲げられた形状にあるときに、２つの板の部分（３１、３２）間に形成される折曲げ角にほぼ等しいことを特徴とする請求項６および７のいずれかに記載の板。
【請求項９】
ヒンジ手段（３０）が、第３の層（２３）に、前記折曲げ線（３４）に沿って形成される第２の溝（３５）をさらに備えることを特徴とする請求項５〜８のいずれかに記載の板。
【請求項１０】
板の部分の少なくとも１つ（２）に、少なくとも１つの開口（４０）を備えることで、対流により前記包装箱の容積内に通気を確保できることを特徴とする請求項１〜９のいずれかに記載の板。
【請求項１１】
前記３つの層（２１、２２、２３）を相互に接着することで、「接着された積層」を形成することを特徴とする請求項１〜１０のいずれかに記載の板。
【請求項１２】
第１の層が「多層」からなる層であることを特徴とする請求項１〜１１のいずれかに記載の板。
【請求項１３】
前記板（１）が「折り曲げられた」形状にあるときに、前記第１の層（２１）が前記板（１）により形成される前記包装箱の内壁を形成することを特徴とする請求項１〜１２のいずれかに記載の板。
【請求項１４】
少なくとも１つの前記板が折り曲げられた位置を保持するために、取外し可能なバンド（５０）を備えることを特徴とする、請求項１〜１３のいずれかに記載された、少なくとも１つの予め裁断された板から形成された包装箱または容積体。
【請求項１５】
−　第１、第２および第３の少なくとも３つの層（２１、２２、２３）を相互に積層し、第１の層（２１）と第３の層（２３）との間に挟まれた第２の層（２２）が柔軟な材料の層であり、第１および第３の層のうちの少なくとも第１の層が比較的固い層となっている板を形成するステップ、
−　前記第１の層および第３の層と接触する第１の押型と第２の押型のうち、前記第１の押型が第１の層と接触するその表面に、第１および第３の２つの層のうち少なくとも第１の層（２１）に折曲げ線（３４）に沿って形成される前記少なくとも１つの第１の溝（３３）に対応する雄型を少なくとも備えており、当該第１の押型と第２の押型の間で形成された積層を締め付けるステップ、
からなることを特徴とする請求項５〜１３のいずれかに記載の板の製造方法。
【請求項１６】
前記第２の押型が、第３の層と接触するその表面に、第３の層（２３）に折曲げ線（３４）に沿って形成される前記第２の溝（３５）に対応する雄型を備えることを特徴とする請求項９に記載の板を製造するための請求項１５に記載の製造方法。
【請求項１７】
締付が熱間で行われることを特徴とする請求項１５または１６に記載の製造方法。
【発明の詳細な説明】
【０００１】
【発明の属する技術分野】
本発明は、１セットの板の部分を形成するために予め裁断された板であって、前記板が第１および第２の少なくとも２つの形状、すなわち板がほぼ同一平面内にある第１のいわゆる「平らな」形状と、および中空の容積体、たとえば製品用包装箱や家具の引き出しなどの全部または一部、を形成するために、板の部分の一方を他方に対してヒンジ手段の周りで折り曲げることで得られる、第２のいわゆる「折り曲げられた」形状をとることが可能な、前記予め裁断された板に関する。
【０００２】
【従来の技術】
特に、カゴ型またはこれに類似の包装箱に関しては、果物、野菜などを、その生産地とその潜在的な最終消費者への頒布地間における輸送の際に特に発生する問題がある。
【０００３】
実際、これらの生産物は傷みやすいので、相互に接触して傷んだり潰れたりすることがないように輸送することが必要である。このような条件おいて、輸送のためにそれらを収容する包装箱は比較的弱い容積体であり、果物、野菜等は毎日きわめて大量に消費されることから、かなりの数の包装箱が必要とされる。
【０００４】
包装箱の管理には、特に生産地への包装箱の回送および生産物が頒布された後の用途といった多くの問題がある。そのため、空になったときにこれらの包装箱の容積を低減させるために、１セットの板の部分を形成するために予め裁断された板であって、前記板が第１および第２の少なくとも２つの形状、すなわち板がほぼ同一平面内にある第１のいわゆる「平らな」形状と、カゴ型またはこれに類似の包装箱を形成するために、板の部分の一方を他方に対してヒンジ手段の周りで折り曲げることで得られる、第２のいわゆる「折り曲げられた」形状をとることが可能な、前記予め裁断された板により、包装箱が形成されるようになった。
【０００５】
このようにして、包装箱は、輸送用に生産物を収容するために、生産物の生産地に向けて「平らな」形で輸送され、それから生産物の輸送が可能な形状を付与するために折り曲げられる。
【０００６】
生産物が頒布されると、包装箱は、広げられ「平らな」形状をとることができ、時により可能であれば、上記のように再利用される。
【０００７】
このように、一方で空の包装箱は容積を低減させることができ、他方で時には包装箱を複数回利用することができる。
【０００８】
このような包装箱を形成するために使用される板は、たいていの場合、多層カートンまたはハニカムカートンで形成されている。この場合、ヒンジ手段は単にカートンを折り曲げることにより形成される。しかしながら、カートンの板で形成された包装箱は、特に果物または野菜のような生産物を輸送する場合に明らかに欠点を示す。実際、予め裁断されたこれらの板は輸送される生産物の生産地に向けて「平らな形で」輸送され、次に包装箱を形成するために折り曲げることができる。しかし、使用される材料は機械的強度が弱いため、包装箱に輸送される生産物を積み込んだ際には、包装箱を高く積み上げることができない。さらに、カートン製包装箱は空気の循環に必要な通気を与えない。最後に、果物および野菜は輸送中にたとえば汁を出すことがあるので、これらの汁がカートンを汚し、かつ濡らしてしまう結果、カートンは急速に損傷してしまう。
【０００９】
この欠点を解消するために、たとえば、紙、カートン、プラスチックなどの柔軟な材料のシートから形成された層、木材の合板シートから形成された層からなる２つの層を互いに積層させて形成した、予め裁断された板でそれぞれ覆われたフレーム・ボックスから包装箱が形成されてきた。これにより、木材の合板シートに適切な切込みを形成する一方、柔軟な材料はそのままとすることで、ヒンジ手段を形成している。このようなフレームボックスと組み合わされた包装箱用板は、たとえばフランス特許公開第２７７９０８９号（ＦＲ−Ａ−２，７７９，９８９）に記載されている。
【００１０】
このような包装箱用板により、果物および野菜を木材合板シートと直接接触して載置することができ、これにより形成される包装箱は、その使用寿命までにわたり、カートン製包装箱よりもよりよい保存が可能となる。しかしながら、このタイプの包装箱も同様に、少なくとも次の欠点を有する。すなわち、その価格がきわめて高いために包装箱の製造方法が包装箱の工業的大量生産に適しておらず、また、板の部分の折曲げが柔軟な材料のシートにより達成される一方、この柔軟な材料のシートはあらゆる種類の衝撃または事故から保護されていないので、比較的容易に柔軟な材料のシートを破損させてしまう。
【００１１】
【特許文献１】
フランス特許公開第２７７９０８９号（ＦＲ−Ａ−２，７７９，９８９）
【００１２】
【発明が解決しようとする課題】
本発明は、１セットの板の部分を形成するために予め裁断された板であって、前記板が第１および第２の少なくとも２つの形状、すなわち板がほぼ同一平面内にある第１のいわゆる「平らな」形状と、および中空の容積体、たとえば製品用包装箱や家具の引き出しなどの全部または一部、を形成するために、板の部分の一方を他方に対してヒンジ手段の周りで折り曲げることで得られる、第２のいわゆる「折り曲げられた」形状をとることが可能な、前記予め裁断された板における、上記した従来技術の欠点を改善することを目的とする。
【００１３】
【課題を解決するための手段】
本発明は、１セットの板の部分を形成するために予め裁断された板であって、前記板が第１および第２の少なくとも２つの形状、すなわち板がほぼ同一平面内にある第１のいわゆる「平らな」形状と、および中空の容積体、たとえば製品用包装箱や家具の引き出しなどの全部または一部、を形成するために、板の部分の一方を他方に対してヒンジ手段の周りで折り曲げることで得られる、第２のいわゆる「折り曲げられた」形状をとることが可能な、前記予め裁断された板において、当該板が少なくとも３つの層、すなわち第１、第２および第３の層を相互に積層することにより形成され、第１の層と第３の層の間に挟まれる第２の層が柔軟な材料からなる層であり、第１および第３の層の２つの層のうち、少なくとも第１の層が比較的固い材料からなる層であることを特徴とする予め裁断された板を提供する。
【００１４】
本発明の特徴によれば、ヒンジ手段は、第１および第３の層のうちの少なくとも第１の層に、折曲げ線に沿って形成された少なくとも１つの第１の溝を備える。
【００１５】
本発明の他の特徴により、ヒンジ手段は、第３の層に、前記折曲げ線に沿って形成された第２の溝をさらに備える。
【００１６】
また、本発明は、少なくとも１つの板の折り曲げられた位置を保持する取外し可能なバンドを備えることを特徴とする、本発明による少なくとも１つの予め裁断された板から形成された容積体または包装箱に関する。
【００１７】
さらに、本発明は、次のステップからなることを特徴とする本発明による板の製造方法に関する。
【００１８】
すなわち、−  少なくとも３つの層、すなわち第１、第２および第３の層からなり、第１の層と第３の層との間に挟まれた第２の層が柔軟な材料の層であり、第１および第３の層のうちの少なくとも第１の層が比較的固い層となっているものを、それらの間に結合手段を設けて相互に積層するステップ。
【００１９】
−  それぞれ前記第１の層および第３の層と接触する第１の押型と第２の押型であって、前記第１の押型が第１の層と接触するその表面に、第１および第３の２つの層のうち少なくとも第１の層に折曲げ線に沿って形成される前記少なくとも１つの第１の溝に対応する雄型を少なくとも備えており、当該第１の押型と第２の押型の間で形成された積層を締め付けるステップ。
【００２０】
前記第２の押型が、第３の層と接触するその表面に、第３の層に折曲げ線に沿って形成される前記第２の溝に対応する雄型を備えることが好ましい。
【００２１】
本発明のその他の特徴および利点については、説明のための添付図面を参照しながら、以下の記載により明らかになるが、それにより本発明は限定されない。
【００２２】
【発明の実施の形態】
図１〜図７は、本発明による包装箱の板を具体化した異なる実施態様を示す。しかしながら、その要素が示されている図およびその要素の表示形状にかかわらず、同じ符号は同じ要素を示す。同様に、ある図において要素に特に符号が付けられていない場合、その符号は他の図を参照することにより容易に見いだすことができる。
【００２３】
本発明の定義により、本発明の対象が、所定の機能を有する「少なくとも１つの」要素を含むとき、記載の実施態様にはこの要素を複数含んでもよいことも明らかである。
【００２４】
同様に、図示された本発明による対象の実施態様が同じ機能を有する複数の要素を含む場合、および説明において本発明による対象が当該要素を特定数だけ必ず含むべきであると特定されていない場合、本発明の対象はこの要素の「少なくとも１つ」含むものと定義しうる。
【００２５】
本発明は、１セットの板の部分を形成するために予め裁断された板（１）であって、当該板が第１および第２の少なくとも２つの形状、すなわち第１のいわゆる「平らな」形状（図１）と、および果物、野菜その他を輸送するためのカゴ型その他の包装箱を形成するために、板の部分の一方を他方に対してヒンジ手段（３０）の周りで折り曲げることで得られる、第２のいわゆる「折り曲げられた」形状（図２）をとることが可能な、前記予め裁断された板に関する。
【００２６】
図１および図２に図示される実施態様において、板（１）は１セットの板の部分を有し、部分（２）は包装箱の底板を形成し、部分（３、４、５、６）は包装箱の側板を形成し、他の部分（７、８、９など）は、たとえばコーナー部の補強、把持手段、接合手段などを形成するために、側板部分に折り畳まれる要素を形成する。
【００２７】
図１のさらなる理解のために、破線（１０、１１、１２など）は折曲げ線を示す。すなわち、図２に概略図として示されたタイプの包装箱を形成するために、板の部分の一方が他方に対して折り曲げられる箇所を示す。このタイプの包装箱は、果物、野菜等のような生産物をそれらの頒布地、すなわち市場、広場、小売店などへ輸送するために、これらの生産物を収容するために使用される。
【００２８】
上記のような包装箱の板（１）は、それが、少なくとも３つの層（２１、２２、２３）、すなわち第１の層（２１）、第２の層（２２）および第３の層（２３）のそれぞれを相互に積層することにより形成され、第１の層（２１）と第３の層（２３）との間に挟まれた第２の層（２２）が柔軟な材料の層であり、第１および第３の２つの層のうちの少なくとも第１の層が比較的固い層であることを本質的な特徴とする。
【００２９】
有利な実施態様においては、「接着された薄板」を形成するために、３つの層は相互に接着される。
【００３０】
有利な実施例においては、比較的固い第１の層（２１）は、次の材料、すなわち木材合板パネル、木材繊維パネル、木材シート、再生木材パネル、商標「Ｉｓｏｒｅｌ」により販売される弾力性の有無を問わない凝集木材粒子の圧延パネルのいずれかで形成される。
【００３１】
第２の層（２２）は、破損することなく同じ箇所で何回も折曲げ可能である十分な耐久性を有し、好ましくは透孔を有する、たとえばプラスチック材料その他のシートのような柔軟な材料で形成される。
【００３２】
しかしながら、第１の層（２１）が上記の材料のいずれかで形成されているとき、この第２の層（２２）は、図７に図示されるように、次の構成、すなわち組みひも、糸、格子、繊維の少なくともいずれかにより形成されることと有利である。これにより、メッシュ内に多数のオリフィス（２４）が形成され、少なくとも第１の層（２１）に通気を与え、その結果、大きな使用寿命が得られる。
【００３３】
第３の層（２３）に関しては、次の材料、すなわち木材合板パネル、木材繊維パネル、木材シート、再生木材パネル、弾力性の有無を問わない凝集木材粒子の圧延パネル、紙、カートンのいずれかで形成されることが有利である。
【００３４】
第３の層（２３）のこのような実施態様は、本質的に２つの理由から有利である。
【００３５】
それが紙またはカートンのような材料で形成されるとき、この第３の層には商標、産地、分類などのコードおよび／または表示を付することができる。この場合、包装箱は、折畳み式ではない木材板で形成されたカゴの利点およびカートンで形成された折畳み式カゴの利点を同時に示す。
【００３６】
この場合、板がその「折り曲げられた」形状にあるときに、板により形成される包装箱の内壁、すなわち輸送するときに生産物と接触する内壁を形成するに適しているのが、第１の層（２１）であることは自明である。
【００３７】
第３の層が、第１の材料のような木材など上記した別の材料で形成されているとき、包装箱はきわめて強固である。また、木製の板で形成されたカゴまたは包装箱の利点を示すとともに、折畳み可能である。したがって、より丈夫であり、可能なときには容易に再利用可能である。さらに、いわゆる「平らな」位置において、裁断板の外面に、上記のようなコードまたは表示を印刷により容易に表示しうる。
【００３８】
板の部分間の結合を保持しながら、板の部分の連接または折畳みという２つの機能が、２つの固い層に挟まれた第２の柔軟な層により可能とされており、この第２の柔軟な層が板の各部分の間で機械的耐性を有する唯一の結合部となっていることは、当業者に理解されうる。
【００３９】
図２において、板（１）は３つの層（２１、２２、２３）を含む。しかしながら、図４に示すように、これらの３つの層のうちの少なくとも１つ、好ましくは第１の層（２１）が、たとえば木材合板パネルで形成されたいわゆる「多層」（２５）からなっていてもよい。
【００４０】
上記のように、包装箱の板（１）はヒンジ手段（３０）を備えることで、板の部分（２、３、４、・・・）の一方を他方に対して折り曲げることができる。図５および図６は、板の部分３１と３２の間にあるヒンジ手段（３０）の一実施態様を示す。このヒンジ手段（３０）により、上記のすべての部分（２、３、４、・・・）が区分けされてもよい。
【００４１】
このヒンジ手段は、第１の層（２１）および第３の層（２３）の２つの層のうちの少なくとも第１の層（２１）内に、上記の折曲げ線（１０、１１、１２、・・・）のような折曲げ線（３４）に沿って形成された少なくとも１つの第１の溝（３３）を備える。板が「平らな」形状にあるとき、第１の溝（３３）がほぼ「Ｖ」の形の横断面を形成することが好ましい。さらに、その深さは最大でも第１の層２１の厚みに等しい。
【００４２】
また、「Ｖ」の角度が、板が折り曲げられた形状にあるときに、２つの板の部分（３１、３２）がそれらの間に形成する折曲げ角にほぼ等しいことが好ましい。したがって、板が折り曲げられた位置で接着される予定であるとき、接着剤は「Ｖ」の溝内に塗布されてもよく、これにより補強された包装箱を形成することができる。
【００４３】
板の２つの部分（３１、３２）の一方を他方に対して容易に折り曲げられるようにするために、第３の層（２３）の材質およびその厚さに応じて、ヒンジ手段（３０）が、この第３の層内にも、同じ折曲げ線（３４）に沿って形成される第２の溝（３５）を備えることが好ましい。
【００４４】
この第２の溝（３５）は、板がその「平らな」形状にあるとき、単なる浅い溝により形成される。このとき、この浅い溝の深さは、図５および図６に示されているように第２の層（２２）には達していない。浅い溝は、それが形成される層の材料に応じて、適切な任意の手段により、たとえば木材合板製の板上の浅い溝の形に対応する相補の雄型により、冷間または熱間で単に締め付けることによって形成される。
【００４５】
同様に、第１の溝（３３）は、板の厚みが要求する場合には、板が「平らな」形状にあるとき、単なる浅い溝で形成されてもよく、板の浅い溝の形に対応する相補の雄型により、好ましくは熱間プレス加工によって当該浅い溝を形成する。このようにして、第１および第２の層にそれぞれ溝（３３、３５）が設けられた本発明による板を、これらの層と接触する押型の表面上にそれぞれ形成される溝に相補の雄型を含む２つの押型の間で熱間プレス加工の１回の作業により形成してもよい。熱間プレス加工は１２０℃程度の温度で行われることが好ましく、板の厚さが２．５ｍｍ以下の合板に対しては冷間プレス加工でもよい。２．５ｍｍ以上の厚さに対する熱間プレス加工により、プレス加工後に溝の形を確実に保持できる。
【００４６】
包装箱の容積内に対流による通気を確実に行わせるために、たとえば板の底板（２）の部分のような板の一部に形成される、少なくとも１つの開口（４０）を備えうることは自明である。
【００４７】
板の部分（７、８）により形成されるコーナーの補強は、板の部分（７、８）および底板（２）の適切な開口（４１、４２）により、これらの補強の内側への、および包装箱により形成された容積内への空気の循環のために、利用できることは理解されうる。
【００４８】
図２に示す折曲げ位置に包装箱を保持したり、その後に包装箱を容易に広げられるようにするためには、図２に示すように、折曲げ位置において側板（３、４、５、６）の周りに巻き付けられた取外し可能なバンド（５０）を使用することが適切である。折曲げ位置において板を確実に保持することで、包装箱の良好な剛性を確保するために、取外し可能なバンドを、たとえば熱収縮性プラスチック材料タイプの材料により形成することにより、バンドの内側で板の部分の締付けを確実に行うことができる。
【００４９】
一方、包装箱が１度折り曲げられた後には広げられない場合には、折り曲げられた板の部分間を接着したり、ピンにより結合することも採用できる。この場合、包装箱は、包装箱の折曲げが使用場所において行われずに、板の製造場所で行われるので、折曲げの手間が省けるというその利点を有している。
【００５０】
上記の説明においては、得られる包装箱の全体を１枚で形成する予め裁断された板が示されている。説明は省略するが、以上とは異なり、このような包装箱が本発明による予め裁断された複数の板から形成されてもよく、これらの予め裁断された複数の板を、接着して組み合わせることで、たとえば第１および第２の少なくとも２つの形状をとることができ、すなわち板がほぼ同一平面内にある第１のいわゆる「平らな」形状と、中空容積体たとえば生産物の包装箱、家具の引出しなどを形成するために、板の部分の一方を他方に対してヒンジ手段の周りで折り曲げることで得られる、第２のいわゆる「折り曲げられた」形状とをとることが可能な板を形成することができる。
【図面の簡単な説明】
【図１】
図１は、いわゆる「平らな」形状にある、本発明による包装箱の板の一実施態様を示す。
【図２】
図２は、果物および野菜を輸送するためにカゴ型の包装箱に形成された、「折り曲げられた」形状にある図１の板を示す。
【図３】
図３は、第１の実施態様における本発明による板の横断面図である。
【図４】
図４は、第２の実施態様における本発明による板の横断面図である。
【図５】
図５は、「平らな」形状にある図４の板に形成されたヒンジ手段の一実施態様を示す。
【図６】
図６は、「折り曲げられた」形状にある図４の板に形成されたヒンジ手段の一実施態様を示す。
【図７】
図７は、本発明による包装箱の板の構成に含まれる１要素の概略図である。
【国際公開パンフレット】
2004501798.tif 000003
2004501798.tif 000004
2004501798.tif 000005
2004501798.tif 000006
2004501798.tif 000007
2004501798.tif 000008
2004501798.tif 000009
2004501798.tif 000010
2004501798.tif 000011
2004501798.tif 000012
2004501798.tif 000013
2004501798.tif 000014
2004501798.tif 000015
【手続補正書】
【提出日】平成14年7月17日(2002.7.17)
【手続補正１】
【補正対象書類名】明細書
【補正対象項目名】特許請求の範囲
【補正方法】変更
【補正の内容】
【特許請求の範囲】
【請求項１】
板（１）がほぼ同一平面にある第１の「平らな」形状と、たとえば製品の包装箱の全部または一部のような中空容積体を形成するために、板の部分（２、３、４）の一方を他方に対してヒンジ手段（３０）の周りで折り曲げることにより形成される第２の「折り曲げた」形状の、少なくとも２つの形状をとることが可能な、１セットの板の部分を形成するために予め裁断された板（１）において、
前記板（１）が第１、第２および第３の少なくとも３つの層（２１、２２、２３）を相互に積層することにより形成され、第１の層（２１）と第３の層（２３）との間に挟まれた第２の層（２２）が柔軟な材料の層であり、第１および第３の２つの層のうち、少なくとも第１の層が比較的固い層であり、
比較的固い第１の層（２１）が、木材合板パネル、木材繊維パネル、木材シート、再生木材パネル、弾力性の有無を問わない凝集木材粒子の圧延パネルのいずれかで形成されることを特徴とする、予め裁断された板。
【請求項２】
前記第２の層（２２）が、組みひも、糸、格子、繊維のうち１つ以上の構造により形成されることを特徴とする請求項１に記載の板。
【請求項３】
第３の層（２３）が、木材合板パネル、木材繊維パネル、木材シート、再生木材パネル、弾力性の有無を問わない凝集木材粒子の圧延パネル、紙、カートンのいずれかで形成されることを特徴とする請求項１または２に記載の板。
【請求項４】
ヒンジ手段（３０）が、第１および第３の２つの層のうち、少なくとも第１の層（２１）に、折曲げ線（３４）に沿って形成される少なくとも第１の溝（３３）を備えることを特徴とする請求項１〜３のいずれかに記載の板。
【請求項５】
第１の溝（３３）がほぼ「Ｖ」形の横断面を有することを特徴とする請求項４に記載の板。
【請求項６】
第１の溝（３３）の深さが最大でも第１の層（２１）の厚さに等しいことを特徴とする請求項４および５のいずれかに記載の板。
【請求項７】
「Ｖ」形の角度が、板が折り曲げられた形状にあるときに、２つの板の部分（３１、３２）間に形成される折曲げ角にほぼ等しいことを特徴とする請求項５および６のいずれかに記載の板。
【請求項８】
ヒンジ手段（３０）が、第３の層（２３）に、前記折曲げ線（３４）に沿って形成される第２の溝（３５）をさらに備えることを特徴とする請求項４〜７のいずれかに記載の板。
【請求項９】
板の部分の少なくとも１つ（２）に、少なくとも１つの開口（４０）を備えることで、対流により前記包装箱の容積内に通気を確保できることを特徴とする請求項１〜８のいずれかに記載の板。
【請求項１０】
前記３つの層（２１、２２、２３）を相互に接着することで、「接着された積層」を形成することを特徴とする請求項１〜９のいずれかに記載の板。
【請求項１１】
第１の層が「多層」からなる層であることを特徴とする請求項１〜１０のいずれかに記載の板。
【請求項１２】
前記板（１）が「折り曲げられた」形状にあるときに、前記第１の層（２１）が前記板（１）により形成される前記包装箱の内壁を形成することを特徴とする請求項１〜１１のいずれかに記載の板。
【請求項１３】
少なくとも１つの前記板が折り曲げられた位置を保持するために、取外し可能なバンド（５０）を備えることを特徴とする、請求項１〜１２のいずれかに記載された、少なくとも１つの予め裁断された板から形成された包装箱または容積体。
【請求項１４】
−　第１、第２および第３の少なくとも３つの層（２１、２２、２３）を相互に積層し、第１の層（２１）と第３の層（２３）との間に挟まれた第２の層（２２）が柔軟な材料の層であり、第１および第３の層のうちの少なくとも第１の層が比較的固い層となっている板を形成するステップ、
−　前記第１の層および第３の層と接触する第１の押型と第２の押型のうち、前記第１の押型が第１の層と接触するその表面に、第１および第３の２つの層のうち少なくとも第１の層（２１）に折曲げ線（３４）に沿って形成される前記少なくとも１つの第１の溝（３３）に対応する雄型を少なくとも備えており、当該第１の押型と第２の押型の間で形成された積層を締め付けるステップ、
からなることを特徴とする請求項４〜１２のいずれかに記載の板の製造方法。
【請求項１５】
前記第２の押型が、第３の層と接触するその表面に、第３の層（２３）に折曲げ線（３４）に沿って形成される前記第２の溝（３５）に対応する雄型を備えることを特徴とする請求項８に記載の板を製造するための請求項１４に記載の製造方法。
【請求項１６】
締付が熱間で行われることを特徴とする請求項１４または１５に記載の製造方法。
【国際調査報告】
2004501798.tif 000016
2004501798.tif 000017
2004501798.tif 000018
2004501798.tif 000019
2004501798.tif 000020
2004501798.tif 000021